(57)【特許請求の範囲】
【請求項１】
Ｅ‐ＵＴＲＡＮ（ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ノードＢ（ｅＮＢ）からチャネル状態情報参照信号（ＣＳＩ‐ＲＳ）を受信し、
前記ＣＳＩ‐ＲＳに基づいてチャネル状態情報を決定し、前記チャネル状態情報を前記ｅＮＢに送信することであって、前記チャネル状態情報は、第１のプリコーディングマトリクスに対応するプリコーディングマトリクス指標を含み、
ＵＥ固有参照（ＵＥ‐ＲＳ）信号及び物理ダウンリンク共有チャネル（ＰＤＳＣＨ）信号を受信することであって、前記ＵＥ固有参照信号は、第２のプリコーディングマトリクスでプリコードされ、
前記ＵＥ‐ＲＳに基づいて前記第２のプリコーディングマトリクスを含むＵＥ‐ＲＳ実効チャネルを推定し、
前記第１のプリコーディングマトリクス及び前記ＵＥ‐ＲＳ実効チャネルに基づいて前記ＰＤＳＣＨ信号からデータをデコードする
ように構成されたＵＥ。
【請求項２】
前記第１のプリコーディングマトリクスは、閉ループビームフォーミング（Ｐｄ）に使用されるマトリクスを含み、前記第２のプリコーディングマトリクスは、開ループビームフォーミング（Ｐｃ）に使用されるマトリクスを含み、Ｐｃは、伝送アンテナの数に対応する第１の次元と、アンテナポートの数に対応する第２の次元とを含み、Ｐｄは、アンテナポートの数に対応する第１の次元と、レイヤの数に対応する第２の次元とを含む、請求項１に記載のＵＥ。
【請求項３】
前記ＰＤＳＣＨからデータをデコードすることは、
チャネルマトリクスＨ、
各リソースエレメントの巡回遅延ダイバーシティマトリクスＤ（ｉ）、及び
正方マトリクスＵ
のうち１つ以上を含む複数のさらなるマトリクスにさらに基づいてデコードすることを含む、請求項２に記載のＵＥ。
【請求項４】
デコーディングコンポーネントが、
ＨＰｃＰｄ、
ＨＰｃＤ（ｉ）ＵＰｄ、及び
ＨＰｃＰｄＤ（ｉ）Ｕ、
のうち１つ以上の仮定された実効チャネルに基づいてデータ通信をデコードするように構成される、請求項３に記載のＵＥ。
【請求項５】
前記実効チャネルを推定することは、ＨＰｃの値を推定することを含む、請求項２に記載のＵＥ。
【請求項６】
前記ＵＥ‐ＲＳは、前記第２のプリコーディングマトリクスでプリコードされ、前記実効チャネルを推定することは、ＨＰｃＰｄの値を推定することを含む、請求項２に記載のＵＥ。
【請求項７】
前記ＣＳＩ‐ＲＳは第１のＣＳＩ‐ＲＳを含み、前記ＵＥ‐ＲＳは第１のＵＥ‐ＲＳを含み、前記ＰＤＳＣＨ信号は第１のＰＤＳＣＨ信号を含み、前記第１のプリコーディングマトリクスは、前記第１のＵＥ‐ＲＳに対応する第１のプリコーディングマトリクスを含み、当該ＵＥは、
１つ以上の第２のＣＳＩ‐ＲＳに基づいて第２のチャネル状態情報を決定し、前記第２のチャネル状態情報を前記ｅＮＢに送信することであって、前記第２のチャネル状態情報は、前記１つ以上のＣＳＩ‐ＲＳに対応する１つ以上の第２のプリコーディングマトリクスに対応する１つ以上の第２のプリコーディングマトリクス指標を含み、
１つ以上の第２のＵＥ‐ＲＳ及び１つ以上の第２のＰＤＳＣＨ信号を受信し、
前記１つ以上の第２のＵＥ‐ＲＳの、１つ以上の第２のＵＥ‐ＲＳ実効チャネルを測定し、
前記１つ以上の第２のＵＥ‐ＲＳ実効チャネル及び前記１つ以上の第２のプリコーディングマトリクスに基づいて前記１つ以上の第２のＰＤＳＣＨ信号からデータをデコードする
ようにさらに構成される、請求項１に記載のＵＥ。
【請求項８】
当該ＵＥは、前記ｅＮＢから受信される前記ＣＳＩ‐ＲＳに基づいて当該ＵＥと前記ｅＮＢとの間のＣＳＩ‐ＲＳ実効チャネルを測定するようにさらに構成され、前記ＣＳＩ‐ＲＳは、前記第２のプリコーディングマトリクスでプリコードされたＣＳＩ‐ＲＳを含む、請求項１に記載のＵＥ。
【請求項９】
基地局から参照信号を受信するように構成された通信コンポーネントと、
前記参照信号に基づいて実効チャネルマトリクスを決定するように構成された開ループビームフォーミングコンポーネントと、
閉ループビームフォーミングを用いて閉ループプリコーディングマトリクスに対応するプリコーディングマトリクスインデックスを決定するように構成された閉ループビームフォーミングコンポーネントと、
前記実効チャネルマトリクス及び前記閉ループプリコーディングマトリクスに基づいて前記基地局からのデータ通信をデコードするように構成されたデコーディングコンポーネントと、
を含むモバイル通信装置。
【請求項１０】
前記実効チャネルを決定することは、ＨＰｃの値を決定することを含み、Ｈはチャネルマトリクスを含み、Ｐｃは開ループプリコーディングマトリクスを含む、請求項９に記載のモバイル通信装置。
【請求項１１】
前記実効チャネルマトリクスは、前記閉ループプリコーディングマトリクスに基づき、前記実効チャネルを決定することは、ＨＰｃＰｄの値を決定することを含み、Ｈはチャネルマトリクスを含み、Ｐｃは開ループプリコーディングマトリクスを含み、Ｐｄは閉ループプリコーディングマトリクスを含む、請求項９に記載のモバイル通信装置。
【請求項１２】
前記データ通信をデコードすることは、第１のマトリクスＤ（ｉ）及び第２のマトリクスＵを含む複数の事前構成されたマトリクスにさらに基づいてデコードすることを含み、前記第１のマトリクスは、各リソースエレメントｉの巡回遅延ダイバーシティマトリクスを含む、請求項９に記載のモバイル通信装置。
【請求項１３】
Ｄ（ｉ）及びＵは、通信標準において事前定義されたマトリクスを含む、請求項１２に記載のモバイル通信装置。
【請求項１４】
Ｄ（ｉ）及びＵは、前記データ通信のアンテナポートの数に対応する次元を有する正方マトリクスを含む、請求項１２に記載のモバイル通信装置。
【請求項１５】
Ｄ（ｉ）及びＵは、前記データ通信のレイヤの数に対応する次元を有する正方マトリクスを含む、請求項１２に記載のモバイル通信装置。
【請求項１６】
チャネル状態情報参照信号（ＣＳＩ‐ＲＳ）をユーザ機器（ＵＥ）に伝送するように構成された参照信号コンポーネントであって、前記ＣＳＩ‐ＲＳは開ループＭＩＭＯ（ｍｕｌｔｉｐｌｅ−ｉｎｐｕｔ  ｍｕｌｔｉｐｌｅ‐ｏｕｔｐｕｔ）のためのプリコーディング値の第１のセットでエンコードされる、参照信号コンポーネントと、
前記ＣＳＩ‐ＲＳを前記ＵＥに伝送することに応答して、前記ＵＥからプリコーディングインデックスを含むチャネル状態情報を受信するように構成されたチャネル状態コンポーネントと、
前記プリコーディングインデックスに基づいて閉ループＭＩＭＯのためのプリコーディング値の第２のセットを決定するように構成されたプリコーディングコンポーネントであって、前記プリコーディングインデックスは、事前定義されたコードブックの中のプリコーディング値の前記第２のセットに対応する、プリコーディングコンポーネントと、
エンコーディング値の前記第１のセットとエンコーディング値の前記第２のセットとでエンコードされたデータを伝送するように構成されたデータコンポーネントと、
を含むＥ‐ＵＴＲＡＮ（ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ノードＢ（ｅＮＢ）。
【請求項１７】
前記参照信号コンポーネントは、伝送アンテナの数より少ない数のポートにおいて前記ＣＳＩ‐ＲＳを伝送するように構成され、前記ＣＳＩ‐ＲＳのポートの数は、前記データのポートの数に対応する、請求項１６に記載のｅＮＢ。
【請求項１８】
エンコーディング値の前記第１のセット及びエンコーディング値の前記第２のセットでエンコードされたデータを伝送することは、エンコーディング値についての１つ以上の第３のセットでエンコードされたデータを伝送することをさらに含む、請求項１６に記載のｅＮＢ。
【請求項１９】
エンコーディング値の前記第３のセットは、巡回遅延ダイバーシティ値のセットを含む、請求項１８に記載のｅＮＢ。
【請求項２０】
前記プリコーディングコンポーネントは、プリコーディング値の前記第１のセットとプリコーディング値の前記第２のセットとのうち１つ以上でエンコードされるＵＥ固有参照信号を伝送するようにさらに構成される、請求項１６に記載のｅＮＢ。
【発明の詳細な説明】
【技術分野】
【０００１】
関連出願
本出願は、２０１４年１月６日に申請され整理番号Ｐ６３３５９Ｚを有する米国仮出願第６１／９２４，１９４号の、３５Ｕ.Ｓ.Ｃ.セクション１１９（ｅ）下における利益を主張し、上記仮出願は、本明細書においてその全体を参照により援用される。
【０００２】
本開示は、ワイヤレスＭＩＭＯ（ｍｕｌｔｉｐｌｅ‐ｉｎｐｕｔ  ｍｕｌｔｉｐｌｅ‐ｏｕｔｐｕｔ）に関し、より詳細には、ハイブリッドフルディメンジョナルＭＩＭＯ（ＦＤ‐ＭＩＭＯ）に関する。
【図面の簡単な説明】
【０００３】
【図１】本明細書に開示される実施形態に従う２次元平面アンテナ構造を例示する概略図である。
【図２】本明細書に開示される実施形態に従う、モバイル通信装置に通信サービスを提供する通信システムを例示する概略図である。
【図３】本明細書に開示される実施形態に従うモバイル通信装置の一実施形態を例示する略ブロック図である。
【図４】本明細書に開示される実施形態に従う基地局の一実施形態を例示する略ブロック図である。
【図５】本明細書に開示される実施形態に従う、モバイル通信装置の移動と３次元チャネル到着経路とにおける関係を例示するグラフィック図である。
【図６】本明細書に開示される実施形態に従う、ＦＤ‐ＭＩＭＯにおけるプリコーディングの方法を例示する略フローチャート図である。
【図７】本明細書に開示される実施形態に従う、ＦＤ‐ＭＩＭＯにおけるプリコーディングの方法を例示する略フローチャート図である。
【図８】本明細書に開示される実施形態に従う、ＦＤ‐ＭＩＭＯにおけるプリコーディングの方法を例示する略フローチャート図である。
【図９】本明細書に開示される実施形態に従うモバイル装置の概略図である。
【発明を実施するための形態】
【０００４】
ワイヤレスモバイル通信テクノロジーは、様々な標準及びプロトコルを使用して、基地局とモバイル通信装置との間でデータを伝送する。ワイヤレス通信システム標準及びプロトコルには、第三世代パートナーシッププロジェクト（３ＧＰＰ）ロングタームエボリューション（ＬＴＥ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）として業界団体に一般的に知られる米国電気電子学会（ＩＥＥＥ）８０２．１６標準、及びＷｉＦｉとして業界団体に一般的に知られるＩＥＥＥ８０２．１１標準が含まれ得る。ＬＴＥシステムにおける３ＧＰＰ無線アクセスネットワーク（ＲＡＮ）において、基地局は、Ｅ‐ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ノードＢ（さらに、進化型ノードＢ、拡張型ノードＢ、ｅＮｏｄｅＢ、又はｅＮＢと一般的に表される）と、ＵＴＲＡＮ又はＥ‐ＵＴＲＡＮにおける無線ネットワークコントローラ（ＲＮＣ）との組み合わせであることが可能であり、ユーザ機器（ＵＥ）として知られるモバイル通信装置と通信する。ダウンリンク（又は、ＤＬ）伝送が、基地局（又はｅＮＢ）からモバイル通信装置（又は、ＵＥ）への通信であることが可能であり、アップリンク（又は、ＵＬ）伝送が、モバイル通信装置から基地局への通信であることが可能である。
【０００５】
アンテナテクノロジーにおける最近の進歩は、大きいアンテナアレイのうちの各個々のアンテナ素子についてのビームフォーミングウェイトを制御する新たな機会を提供する。３ＧＰＰテクニカルレポート（ＴＲ）３６．８７３バージョン１．２．０に記載されているこうしたアンテナアレイの一例が、参照のために図１に表されている。具体的に、図１は２次元平面アンテナ構造を例示しており、これにおいて、各列は交差偏波（cross-polarized）アレイである。このアンテナ構造は、Ｎ個の列とＭ個の行を含む。Ｍ及びＮについてのあり得る一構成は、Ｍ＝１０及びＮ＝２である。この例示的な構成において、２Ｄ平面アンテナアレイは、４０のアンテナ素子を含む。アンテナ素子のうち半分が４５度の傾斜角度を有し（点線）、アンテナ素子のうち他方の半分がマイナス４５度の傾斜角度を有する（実線）。
【０００６】
リリース１１までのＬＴＥ‐Ａ（ＬＴＥ‐Ａｄｖａｎｃｅｄ）システムにおいて、セル固有参照信号（ＣＲＳ）及びチャネル状態情報（ＣＳＩ）参照信号（ＣＳＩ−ＲＳ）を使用して、ダウンリンクチャネル状態情報を測定することができる。さらに、ＬＴＥ‐Ａリリース１１仕様においてサポートされるアンテナポートの数は、ＣＲＳについて１、２、又は４であり、ＣＳＩ‐ＲＳについて１、２、４、又は８である。リリース１１仕様がサポートするポートの数（例えば、８の最大値）が、１つの大きいアンテナアレイが有し得るアンテナ素子の数（例えば、４０）よりかなり小さいので、ＭＩＭＯ（ｍｕｌｔｉｐｌｅ‐ｉｎｐｕｔ  ｍｕｌｔｉｐｌｅ‐ｏｕｔｐｕｔ）プリコーディング及びＣＳＩフィードバックの設計が、未解決の問題になっている。
【０００７】
本開示は、ハイブリッドフルディメンジョナル（hybrid  full-dimensional）ＭＩＭＯのためのシステム、方法、及び装置を提示する。一実施形態に従い、ＵＥは、ｅＮＢからＣＳＩ‐ＲＳを受信し、ＣＳＩ‐ＲＳに基づいてチャネル状態情報を決定し、チャネル状態情報をｅＮＢに送信するように構成される。チャネル状態情報は、第１のプリコーディングマトリクスに対応するプリコーディングマトリクス指標を含み得る。ＵＥは、さらに、ＵＥ固有参照（ＵＥ‐ＲＳ）信号と物理ダウンリンク共有チャネル（ＰＤＳＣＨ）信号とを受信するように構成される。ＵＥ‐ＲＳは、第２のプリコーディングマトリクスを用いてプリコードされることができる。ＵＥは、ＵＥ‐ＲＳに基づいて第２のプリコーディングマトリクスを含むＵＥ‐ＲＳ実効チャネルを推定し、第１のプリコーディングマトリクスとＵＥ‐ＲＳ実効チャネルとに基づいてＰＤＳＣＨ信号からデータをデコードする。
【０００８】
明確さを向上させ、本開示を分かりにくくすることを回避するために、本明細書に提供される実施形態及び例は、３ＧＰＰ  ＬＴＥ標準に基づいて動作するシステム、方法、及び装置に焦点を当てる。専門用語及び動作の例が概してＬＴＥに向けられるが、様々な教示をＷｉＦｉ、ＷｉＭＡＸ及びその他などの他の通信標準に対して適用する修正を当業者は認識するであろう。本明細書において使用されるＵＥ、ｅＮＢ又は他の用語などの専門用語は、他の通信プロトコルにおいて使用される他の同様のシステム又はコンポーネントを包含するものと理解されるべきである。
【０００９】
本開示の実施形態に従うシステム、装置、及び方法についての詳細な説明が、以下に提供される。いくつかの実施形態が説明されるが、本開示はいずれか１つの実施形態に限定されず、しかし代わって多数の代替物、修正、及び均等物を包含することが理解されるべきである。さらに、本明細書に開示される実施形態の深い理解を提供するために多数の具体的な詳細が下記の説明において明記されるが、いくつかの実施形態が、こうした詳細のうちいくつか又はすべてなしに実施されることが可能である。さらに、明確さを目的として、本開示を不必要に分かりにくくすることを回避するために、関連分野において知られる特定の技術材料は詳細には説明されていない。
【００１０】
図２は、ＵＥ２０２に通信サービスを提供する通信システム２００の一実施形態を例示する。通信システム２００は、ｅＮＢ２０６を含むＥ‐ＵＴＲＡＮ２０４と、進化型パケットコア（ＥＰＣ）２０８とを含む。ＵＥ２０２は、任意タイプの通信及び／又はコンピューティング装置を含み得る。例示的なＵＥ２０２には、電話、スマートフォン、パーソナルデジタルアシスタント（ＰＤＡ）、タブレットコンピュータ、ノードブックコンピュータ、ウルトラブックコンピュータ、又は同様のものが含まれる。ＵＥ２０２は、該ＵＥ２０２上においてインストールされ及び実行中の複数のアプリケーションを含み、これらアプリケーションは、Ｅ‐ＵＴＲＡＮ２０４及び／又はＥＰＣ２０８を通じてデータを周期的に通信し得る。ＵＥ２０２は、ＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）、ＬＴＥ、ＬＴＥ‐Ａ、又は同様のものなどの３ＧＰＰ標準を用いて通信するように構成された装置を含み得る。いくつかの実施形態において、ＵＥ２０２は、任意の他のワイヤレス通信標準に基づいて通信するように構成されたモバイルワイヤレス装置を含む。
【００１１】
Ｅ‐ＵＴＲＡＮ２０４は、ＵＥ２０２及び複数の他のモバイル通信装置に対してワイヤレスデータアクセスを提供するように構成される。Ｅ‐ＵＴＲＡＮ２０４は、ＵＥ２０２上にインストールされた上記複数のアプリケーションを含む、ＥＰＣを通して利用可能なワイヤレスのデータ、音声、及び／又は他の通信を、ＵＥ２０２に提供する。一実施形態において、Ｅ‐ＵＴＲＡＮ２０４は、ワイヤレスプロトコル、例えば、ＵＥ２０２が使用することが可能なワイヤレスプロトコルに従って動作する。ｅＮＢ２０６は、伝送ポイント及びＲＮＣ機能を実施することができる。ｅＮＢ２０６は、描かれるとおり、Ｘ２インターフェースを介して互いに通信するように構成される。一実施形態において、ｅＮＢ２０６は、ビームフォーミングを実行して、ＵＥ２０２の方向に信号を向け、及び／又はＵＥ２０２の移動について補償するように構成される。例えば、ｅＮＢ２０６は、ＵＥ２０２に対する伝送をプリコードして、ＵＥ２０２の方向に伝送することができる。一実施形態において、ｅＮＢ２０６は、開ループビームフォーミング、閉ループビームフォーミング、又は開ループ及び閉ループ双方のビームフォーミングに基づいて伝送をプリコードする。ＵＥ２０２は、同様の原理に基づいて上記伝送を受信し及びデコードして、受信された情報を解釈し又は処理することができる。
【００１２】
図３は、ＵＥ２０２の一実施形態を例示する略ブロック図である。ＵＥ２０２は、通信コンポーネント３０２、チャネル状態報告コンポーネント３０４、及びデコーディングコンポーネント３０６を含む。デコーディングコンポーネント３０６は、開ループ設計原理に基づいてプリコードされた伝送のための開ループコンポーネント３０８と、閉ループ設計原理に基づいてプリコードされた伝送のための閉ループコンポーネント３１０とを含む。コンポーネント３０２〜３１０は単に例として与えられており、すべてがすべての実施形態に含まれはしない場合がある。
【００１３】
通信コンポーネント３０２は、ＵＥ２０２とｅＮＢ２０６との間のワイヤレス通信を提供するように構成される。一実施形態において、通信コンポーネント３０２は、ＵＥ２０２とＵＥ２０２の任意のコンポーネントとを代表して、信号を送信し、受信する。例えば、通信コンポーネント３０２は、ワイヤレス通信のためのアンテナ又はワイヤレス無線を含み得る。
【００１４】
一実施形態において、通信コンポーネント３０２は、ＵＥ２０２とｅＮＢ２０６との間のチャネルを推定するための１つ以上の参照信号を受信する。例えば、通信コンポーネント３０２は、ｅＮＢ２０６からＣＳＩ‐ＲＳを受信することができ、ＣＳＩ‐ＲＳが使用されて、チャネルの現在の状態を決定することができる。一実施形態において、ＵＥ２０２は、ＣＳＩをｅＮＢ２０６に送信してチャネルの現在の状態を示す。同様に、通信コンポーネント３０２は、チャネルを推定するためのＵＥ‐ＲＳを受信してデータを復調し又はデコードすることができる。一実施形態において、通信コンポーネント３０２は、ＵＥ２０２又はＵＥ２０２の１つ以上のアプリケーションによって使用されるデータを含むデータ伝送を受信する。例えば、データ通信には、エンコードされたデータを含む物理ダウンリンク共有チャネル（ＰＤＳＣＨ）通信が含まれる。一実施形態において、ｅＮＢ２０６からの、通信コンポーネント２０２により受信される参照信号、データ通信、又は他の通信は、開ループビームフォーミングマトリクス及び閉ループビームフォーミングマトリクスのうち１つ以上を用いて、ｅＮＢ２０６においてプリコードされる。
【００１５】
チャネル状態報告コンポーネント３０４は、ＵＥ２０２とｅＮＢ２０６との間の現在のチャネルのＣＳＩを決定するように構成される。一実施形態において、チャネル状態報告コンポーネント３０４は、ｅＮＢ２０６から受信されるＣＳＩ‐ＲＳに基づいてＣＳＩを決定する。一実施形態において、ＣＳＩは、チャネル品質指標（ＣＱＩ）、プリコーディングマトリクス指標（ＰＭＩ）、及び／又はランク指標（ＲＩ）を含む。一実施形態において、ＰＭＩは、コードブック内のプリコーディングマトリクスに対応するインデックス値を含む。例えば、ＰＭＩは、閉ループビームフォーミングに使用されることが可能であり、どのマトリクスが現在のチャネルを最良にサポートするかを示すことができる。一実施形態において、チャネル状態報告コンポーネント３０４は、受信された参照信号に基づいて実効チャネル（Ｈｅｆｆ）を推定する／測定する。例えば、実効チャネルは、信号経路及び／又は参照信号の任意のプリコーディングによる、データ又は参照信号に対する修正に対応し得る（例えば、チャネルマトリクスＨにより説明される物理チャネル）。参照信号が開ループ又は閉ループ値を用いてプリコードされる場合、推定されるＨｅｆｆは、プリコードされた値を含み得る。例えば、ＣＳＩ‐ＲＳが開ループプリコーディングマトリクスＰｃを用いてプリコードされる場合、ＨｅｆｆはＨＰＣに等しくなり得る（例えば、Ｈｅｆｆ＝ＨＰＣ）。推定された実効チャネルを用いて、チャネル状態報告コンポーネント３０４は、閉ループマトリクス、又は閉ループマトリクスに対応するＰＭＩを決定して、ＣＳＩの一部として送信することができる。
【００１６】
一実施形態において、チャネル状態報告コンポーネント３０４は、他の参照信号に基づいて実効チャネルを推定する。例えば、チャネル状態報告コンポーネント３０４は、ｅＮＢから受信されるＵＥ‐ＲＳに基づいて実効チャネルを推定することができる。一実施形態において、ＵＥ‐ＲＳは、開ループプリコーディングマトリクス（Ｐｃ）と閉ループプリコーディングマトリクス（Ｐｄ）とのうち１つ以上でプリコードされる。例えば、閉ループプリコーディングマトリクス（Ｐｄ）は、ＣＱＩにおいて送信されるＰＭＩに対応し得る。一実施形態において、閉ループプリコーディングマトリクス（Ｐｄ）は、同じコードブック内における異なるマトリクスに対応する。例えば、ｅＮＢ２０６は、ＵＥ２０２から受信されるＰＭＩに基づいて閉ループプリコーディングマトリクス（Ｐｄ）を決定することができる。ＵＥ‐ＲＳが開ループプリコーディングマトリクス（Ｐｃ）のみでプリコードされる場合、チャネル状態報告コンポーネント３０４は、測定される実効チャネルＨｅｆｆ＝ＨＰＣを仮定することができる。ＵＥ‐ＲＳが開ループプリコーディングマトリクス（Ｐｃ）と閉ループプリコーディングマトリクスとの双方でプリコードされる場合、チャネル状態報告コンポーネント３０４は、測定される実効チャネルＨｅｆｆ＝ＨＰＣＰｄを仮定することができる。参照信号（又は、データ伝送）が開ループ及び／又は閉ループプリコーディングマトリクスでプリコードされるかどうかは、通信標準を介して、あるいはより高いレイヤのシグナリング（例えば、無線リソース構成［ＲＲＣ］又はメディアアクセス制御［ＭＡＣ］レイヤ）によって事前構成され（preconfigured）てもよい。
【００１７】
デコーディングコンポーネント３０６は、データ伝送をデコードするように構成される。一実施形態において、デコーディングコンポーネント３０６は、実効チャネルに基づいて、及び／又は、データ通信をプリコードするためにどのプリコーディング値が使用されたかの決定に基づいて、データ伝送をデコードする。例えば、デコーディングコンポーネント３０６は、ｅＮＢ２０６から受信される１つ以上の参照信号又は他の信号に基づいてＰＤＳＣＨ信号をデコードすることができる。一実施形態において、チャネル及び／又は１つ以上のプリコーディングマトリクスに基づいてデコードすることは、ＵＥ２０２が伝送される信号を回復して、信号対雑音比（ＳＮＲ）又は信号対干渉プラス雑音比（ＳＩＮＲ）を向上させることを可能にする。
【００１８】
一実施形態において、デコーディングコンポーネント３０６は、開ループプリコーディング値と閉ループプリコーディング値とのうち１つ以上でプリコードされている信号をデコードするように構成される。例えば、開ループビームフォーミングは、閉ループビームフォーミングと同様にはＳＮＲ又はＳＩＮＲを向上させない可能性があり、しかし、急速に変化するチャネルに対してよりロバストであり得る。他方、チャネルが速く変化してはいない場合、閉ループビームフォーミングがより望ましい可能性がある。一実施形態において、デコーディングコンポーネント３０６は、チャネル及びプリコーディング値に対して事前構成され又は測定された値に基づいて、データをデコードする。
【００１９】
一実施形態において、デコーディングコンポーネント３０６は、開ループコンポーネント３０８を用いて、実効チャネル及び／又は開ループプリコーディングマトリクスを決定する。一実施形態において、開ループコンポーネント３０８は、実効チャネル（Ｈｅｆｆ）を推定し、あるいは、チャネル状態コンポーネントから実効チャネルの値を受け取る。例えば、開ループコンポーネント３０８は、ｅＮＢ２０６から受信されるＵＥ‐ＲＳに基づいて、実効チャネルを推定することができる。一実施形態において、開ループコンポーネント３０８は、開ループビームフォーミングに基づいている実効チャネルマトリクスＨｅｆｆを決定する。一実施形態において、例えば、Ｈｅｆｆ＝ＨＰＣであり、これにおいて、Ｐｃは開ループプリコーディングマトリクスを含む。一実施形態において、実効チャネルマトリクスＨｅｆｆは、開ループ及び閉ループ双方の設計に基づく。一実施形態において、例えば、Ｈｅｆｆ＝ＨＰｃＰｄであり、これにおいて、Ｐｄは閉ループプリコーディングマトリクスを含む。一実施形態において、Ｐｃは、伝送アンテナの数に対応する第１の次元と、アンテナポートの数に対応する第２の次元とを有し、Ｐｄは、アンテナポートの数に対応する第１の次元と、レイヤの数に対応する第２の次元とを有する。
【００２０】
一実施形態において、デコーディングコンポーネント３０６は、閉ループコンポーネント３１０を用いて閉ループプリコーディングマトリクスを決定する。例えば、閉ループコンポーネント３１０は、チャネル状態報告コンポーネント３０４により決定されるＰＭＩに基づいて、又はｅＮＢ２０６から受信されるＰＭＩによって、閉ループプリコーディングマトリクスの値を決定することができる。一実施形態において、ＰＭＩは、ＣＳＩ‐ＲＳに基づいて測定される実効チャネルに基づく。
【００２１】
一実施形態において、デコーディングコンポーネント３０６は、閉ループプリコーディング及び開ループプリコーディングの双方に基づいてデータ通信をデコードする。例えば、ＵＥ２０２は、ある次元において、別の次元においてよりも速く、ｅＮＢ２０６に対して移動している場合がある。速く変化している次元について、開ループビームフォーミングが使用されることが可能であると同時に、速く変化してはいない次元について、閉ループビームフォーミングが使用されることが可能である。例として、ＵＥ２０２は、水平方向に速く、しかし垂直方向においてゆっくり移動している電車内である場合がある。他方、ＵＥ２０２は、垂直方向において速く、しかし水平方向においてゆっくり移動しているエレベータ内に位置する場合がある。ハイブリッドの開ループビームフォーミングマトリクス及び閉ループビームフォーミングマトリクスに基づいてデコードすることによって、デコーディングコンポーネント３０６は、異なる次元における速さの変動にかかわらず、最適なプリコーディング／エンコーディングを提供することが可能であり得る。
【００２２】
一実施形態において、デコーディングコンポーネント３０６は、１つ以上の追加のマトリクスに基づいてデコードするように構成される。例えば、デコーディングコンポーネント３０６は、データ信号が巡回遅延ダイバーシティ（cyclic  delay  diversity；ＣＤＤ）マトリクス又は他のマトリクスでプリコードされていると仮定することができる。例示的な仮定される、データの実効チャネルには、ＨＰｃＰｄ、ＨＰｃＤ（ｉ）ＵＰｄ、及びＨＰｃＰｄＤ（ｉ）Ｕを含むことができ、これにおいて、Ｄ（ｉ）は、各リソースエレメント（ＲＥ）ｉについての巡回遅延ダイバーシティマトリクスであり、Ｄ（ｉ）及びＵの双方が、事前構成された正方マトリクスを含む。一実施形態において、マトリクスＤ（ｉ）及びＵは、レイヤの数又はアンテナポートの数のいずれかに基づいてコードブックから導出される。例えば、仮定される実効チャネルがＨＰｃＤ（ｉ）ＵＰｄである場合、Ｄ（ｉ）及びＵは、アンテナポートの数に対応する次元を有する正方マトリクスを含み得る。別の例として、仮定される実効チャネルがＨＰｃＰｄＤ（ｉ）Ｕである場合、Ｄ（ｉ）及びＵは、レイヤの数に対応する次元を有する正方マトリクスを含み得る。
【００２３】
表１は、レイヤの数に基づくＤ（ｉ）の例示的な値を示す。一実施形態において、Ｄ（ｉ）がアンテナポートの数に基づく場合、Ｄ（ｉ）のために選択されるマトリクスは、第１の列がレイヤの数ではなくアンテナポートの数に対応することを除き、同様である。
【００２４】
【表１】
0006325113.tif 000002
表２は、レイヤの数に基づくＵの例示的な値を示す。一実施形態において、Ｕがアンテナポートの数に基づく場合、Ｕのために選択されるマトリクスは、第１の列がレイヤの数ではなくアンテナポートの数に対応することを除き、同様である。
【００２５】
【表２】
0006325113.tif 000003
図４は、ｅＮＢ２０６の一実施形態を例示する略ブロック図である。ｅＮＢ２０６は、参照信号コンポーネント４０２、チャネル状態コンポーネント４０４、プリコーディングコンポーネント４０６、及びデータコンポーネント４０８を含む。コンポーネント４０２〜４０８は単に例として与えられており、すべてがすべての実施形態に含まれはしない場合がある。
【００２６】
参照信号コンポーネント４０２は、参照信号をＵＥ２０２に伝送するように構成される。参照信号コンポーネント４０２は、ＣＳＩ‐ＲＳ、ＵＥ‐ＲＳ、又は他の参照信号を伝送することができる。一実施形態において、参照信号コンポーネント４０２は、開ループプリコーディングマトリクスでプリコードされた参照信号を伝送する。開ループプリコーディングマトリクスは、参照信号に対応するＰＤＳＣＨ通信などのデータ通信にさらに使用されてもよい。一実施形態において、参照信号コンポーネント４０２は、ｅＮＢ２０６のアンテナの数より少ない数のアンテナポートを用いて参照信号を伝送する。一実施形態において、参照信号に使用されるアンテナポートの数は、データ伝送に使用されるポートの数に対応する。
【００２７】
チャネル状態コンポーネント４０４は、ＵＥ２０２からＣＳＩを受信するように構成される。ＣＳＩは、ＣＳＩ‐ＲＳをＵＥ２０２に送信することに応答して受信されることができる。一実施形態において、ＣＳＩは、プリコーディングインデックス、例えばＰＭＩなどを含む。一実施形態において、チャネル状態コンポーネント４０４は、ＵＥから受信されるＰＭＩに基づいて閉ループプリコーディングマトリクスを決定する。一実施形態において、閉ループプリコーディングマトリクスは、コードブックの中のプリコーディングインデックスに対応する。一実施形態において、閉ループプリコーディングマトリクスは、ＵＥ２０２から受信されるプリコーディングインデックスに対応せず、しかし、チャネル状態コンポーネント４０４は、受信されるプリコーディングインデックスに基づいて異なるマトリクスを決定する。一実施形態において、チャネル状態コンポーネント４０４は、データ伝送又は参照信号をエンコードするときの使用のための閉ループプリコーディングマトリクス、及び／又は閉ループプリコーディングマトリクスに対応するプリコーディングインデックスを決定する。一実施形態において、チャネル状態コンポーネント４０４は、選択された閉ループプリコーディングマトリクスについての指示をＵＥ２０２に送信する。
【００２８】
プリコーディングコンポーネント４０６は、１つ以上のプリコーディングマトリクスを用いて参照信号又はデータ伝送をプリコードする（precode）ように構成される。例えば、プリコーディングコンポーネント４０６は、ＵＥ２０２に関連して上記で論じられた例又は実施形態のうち任意のものに従って、参照信号又はデータ伝送をプリコードすることができる。一実施形態において、プリコーディングコンポーネント４０６は、開ループプリコーディングマトリクス（又は、開ループプリコーディング値）及び／又は閉ループプリコーディングマトリクス（又は、閉ループプリコーディング値）のうち１つ以上を用いて参照信号をプリコードする。一実施形態において、プリコーディングコンポーネント４０６は、開ループプリコーディングマトリクス及び／又は閉ループプリコーディングマトリクスのうち１つ以上を用いてデータ伝送をプリコードする。一実施形態において、開ループプリコーディングマトリクス及び／又は閉ループプリコーディングマトリクスのうち１つ以上が、ＣＳＩ‐ＲＳ又はＵＥ‐ＲＳなどの参照信号をプリコードするために使用される同じマトリクスに対応する。一実施形態において、プリコーディングコンポーネント４０６は、上記で論じられたＤ（ｉ）マトリクス又はＵマトリクスなどの、１つ以上の第３のマトリクス（又は、エンコーディング値の第３のセット）を用いて、参照信号又はデータ伝送をプリコードする。
【００２９】
データコンポーネント４０８は、プリコーディングコンポーネントによってエンコードされたデータを伝送するように構成される。例えば、データコンポーネント４０８は、開ループプリコーディングマトリクス、閉ループプリコーディングマトリクス、及び任意の他のプリコーディングマトリクスのうち１つ以上でプリコードされたＰＤＳＣＨを伝送することができる。
【００３０】
前述を考慮して、１つのフルディメンジョナルＭＩＭＯシステムが、
ｙ＝ＨＰｘ＋ｎ      式（１）
によって説明されることができる。これにおいて、ｙはＮｒ×１の受信されたベクトルであり、ＨはＮｒ×Ｎｔチャネルマトリクスであり、ＰはＮｔ×Ｎｐプリコーディングマトリクスであり、ｎはＮｒ×１雑音ベクトルであり、Ｎｒは受信アンテナの数であり、Ｎｔは伝送アンテナの数であり、Ｎｐはレイヤの数である。
【００３１】
アンテナアレイが、図１に示されたように２次元アンテナアレイである場合、Ｎｔ＝２ＮＭであり、Ｎｔは大抵、リリース１１によりサポートされるアンテナポートの最大数である８よりかなり大きくなる。例えば、Ｎ＝２及びＭ＝１０のとき、Ｎｔ＝４０である。ゆえに、ＣＳＩ‐ＲＳについての既存のアンテナポートセット｛１，２，４，８｝に対して多数のアンテナポートを追加することなく、複数のアンテナ素子を１つのポートにマッピングすることによって、合計Ｎｔのアンテナ素子をＮｃ∈｛１，２，４，８｝アンテナポートへ仮想化する（virtualize）ことが可能である。ゆえに、Ｐを２つのマトリクスＰｃ及びＰｄに分割することができ、下記の式を有する。
【００３２】
【数１】
0006325113.tif 000004
これにおいて、ＰｃはＮｔ×Ｎｃマトリクスであり、ＰｄはＮｃ×Ｎｐマトリクスである。
【００３３】
【数２】
0006325113.tif 000005
は、Ｎｒ×Ｎｃを有する実効チャネルマトリクスである。
【００３４】
こうして、Ｐのプリコーディング設計問題は、Ｐｃ及びＰｄを設計することへと分割される。Ｐｃが、ｅＮＢ２０６によって半静的に（semi-statically）設計されることが仮定される場合、Ｐｄは、測定された実効チャネルを量子化するコードブックを用いることによって設計される。Ｐｄを量子化するために使用されるコードブックは、Ｐｃの設計に依存する。
【００３５】
閉ループビームフォーミングは、低いＵＥ２０２速度により適し、開ループビームフォーミングは、中間及び高い速度のビームフォーミングにより適することがよく知られている。ＵＥ２０２の移動が水平のｘ‐ｙ平面においてのみモデル化されるとき、チャネル経路ごとのドップラー速度は、ｘ‐ｙ平面上の受信されるチャネル経路とＵＥ２０２移動の方向との間における相対的な方向にのみ依存する。
【００３６】
しかしながら、ＵＥ２０２移動の方向が３次元空間ｘ‐ｙ‐ｚにおけるものであるとき、チャネル経路ごとのドップラー速度は、３次元チャネル到着経路とＵＥ２０２移動との間における相対的な角度に依存する。図５には、ＵＥ移動と３次元チャネル到着経路との間の関係が例示される。これにおいて、ｖとｈは、それぞれ、ＵＥ２０２の３次元移動方向と受信機における到着チャネルレイ（ray）である。移動方向及びチャネル到着方向ベクトルが、ｖｚ、ｈｚとして垂直のｚ次元上へ、ｖｘ‐ｙ、ｈｘ‐ｙとしてｘ‐ｙ平面における水平次元上へ突出されることが可能である。それから、垂直のｚ次元上のドップラー速度が｜ｖｚＨｈｚ｜に依存し、ｘ‐ｙ平面上のドップラー速度が｜ｖｘ‐ｙＨｈｘ‐ｙ｜に依存する。これにおいて、ｖｚＨはｖｚＨの共役転置であり、ｖｘ‐ｙＨはｖｘ‐ｙの共役転置である。いくつかの状況において、ｚ次元上のドップラー速度は、ｘ‐ｙ平面上のドップラー速度とはかなり異なることがあり得る。１つのこうした例は、ＵＥ２０２が超高層ビルのエレベータ内であることである。この場合、ｘ‐ｙ平面上のドップラー速度は、ｚ次元におけるドップラー速度より大分小さくなる。別の例は、ＵＥ２０２が高速列車内であることである。この場合、ｚ次元上のドップラー速度は、ｘ‐ｙ平面におけるドップラー速度より大分ゆっくりになる。こうした場合、プリコーディングマトリクスＰｃを設計するのに開ループＭＩＭＯ伝送を、及び、プリコーディングマトリクスＰｄを設計するのに閉ループＭＩＭＯ伝送を適用することが可能である。１つのこうした例は、大幅な遅延のＣＤＤを用いてＰｃを設計し、閉ループＭＩＭＯを用いてＰｄを設計することである。
【００３７】
図６は、フルディメンジョナルハイブリッドＭＩＭＯの方法６００を例示する概略図である。方法６００において、プリコーディング設計が、下記によって説明されることができる。
【００３８】
【数３】
0006325113.tif 000006
ここで、ｉはＲＥのインデックスであり、Ｄ（ｉ）は各ＲＥのＣＤＤマトリクスであり、Ｕは固定されたＮｃ×Ｎｃマトリクスである。Ｄ（ｉ）及びＵの定義は、上記表１及び表２において見つけることができる。
【００３９】
方法が始まり、ｅＮＢ２０６が、Ｎｃのアンテナポートを有するＣＳＩ‐ＲＳを構成するＲＲＣメッセージをＵＥ２０２に送信する（６０２）。ｅＮＢ２０６は、ＮｃポートＣＳＩ‐ＲＳをＵＥ２０２に送信し（６０４）、ＵＥ２０２は、ＣＳＩ‐ＲＳに基づいて実効チャネル
【００４０】
【数４】
0006325113.tif 000007
を測定し（６０６）、ＨＰｃＤ（ｉ）ＵＰｄに基づいてＣＳＩを算出し（６０８）、Ｐｄはコードブックからである。ＣＳＩを導出するとき、ＵＥ２０２は、ＮｃポートＣＳＩ‐ＲＳリソースから実効チャネル
【００４１】
【数５】
0006325113.tif 000008
を推定し、同等のチャネル
【００４２】
【数６】
0006325113.tif 000009
から各ＲＥについてチャネル容量を導出することができる。それから、ＵＥ２０２は、伝送モード（ＴＭ）３、８、９、又は１０において閉ループＭＩＭＯに関しては同じフィードバックフォーマットを用いて、ＣＱＩ、ＰＭＩ、及びＲＩの値を含むＣＳＩをｅＮＢ２０６に送信する（６１０）ことができる。
【００４３】
ｅＮＢ２０６は、ＮｃポートＵＥ‐ＲＳをＵＥ２０６に送信する（６１２）。ＰＤＳＣＨをデコードするとき、ＵＥ‐ＲＳは
ｙＲＳ＝ＨＰｃｘＲＳ＋ｎ      式（４）
を用いてプリコードされていてもよい。これにおいて、ｘＲＳはＮｃ×１ベクトルである。
【００４４】
ｅＮＢ２０６は、ＮｄレイヤＰＤＳＣＨをさらに送信し（６１４）、レイヤ１ダウンリンク制御シグナリングを用いてＰｄを示す（６１６）。ＵＥ２０２は実効チャネルを測定し（６１８）て、ＵＥ‐ＲＳから実効チャネル
【００４５】
【数７】
0006325113.tif 000010
を推定する。それから、ＵＥ２０２は、各データＲＥに適用されるフルのプリコーディングマトリクスＨＰｃＤ（ｉ）ＵＰｄを導出し、これに従ってデータＲＥデコーディング（６２０）を実行することができる。
【００４６】
図７は、フルディメンジョナルハイブリッドＭＩＭＯの別の方法７００を例示する概略図である。方法７００において、垂直の大幅な遅延のＣＤＤについてのプリコーディング設計は、下記として定義されることができる。
【００４７】
【数８】
0006325113.tif 000011
これにおいて、ｉはＲＥのインデックスであり、Ｄ（ｉ）は各ＲＥのＣＤＤマトリクスであり、Ｕは定数のＮｐ×Ｎｐマトリクスである。Ｄ（ｉ）及びＵの定義は、上記表１及び表２において見つけることができる。
【００４８】
方法が始まり、ｅＮＢ２０６が、Ｎｃのアンテナポートを有するＣＳＩ‐ＲＳを構成するＲＲＣメッセージをＵＥ２０２に送信する（７０２）。ｅＮＢ２０６は、ＮｃポートＣＳＩ‐ＲＳをＵＥ２０２に送信し（７０４）、ＵＥ２０２は、ＣＳＩ‐ＲＳに基づいて実効チャネル
【００４９】
【数９】
0006325113.tif 000012
を測定し（７０６）、ＨＰｃＰｄＤ（ｉ）Ｕに基づいてＣＳＩを算出し（７０８）、Ｐｄはコードブックからである。ＣＳＩを導出するとき、ＵＥ２０２は、ＮｃポートＣＳＩ‐ＲＳリソースから実効チャネル
【００５０】
【数１０】
0006325113.tif 000013
を推定し、同等のチャネル
【００５１】
【数１１】
0006325113.tif 000014
から各ＲＥについてチャネル容量を導出することができる。ＵＥ２０２は、ＣＱＩ、ＰＭＩ、及びＲＩの値を含むＣＳＩをｅＮＢ２０６に送信する（７１０）。ＵＥ２０２が１より大きいランク（例えば、ＲＩ＞１）を報告するとき、報告されるＣＱＩの数は、２に代わって、１である。
【００５２】
ｅＮＢ２０６は、ＮｃポートＵＥ‐ＲＳをＵＥ２０６に送信する（７１２）。ＰＤＳＣＨをデコードするとき、ＵＥ‐ＲＳは、
ｙＲＳ＝ＨＰｃＰｄｘＲＳ＋ｎ      式（６）
を用いてプリコードされていてもよい。
【００５３】
ｅＮＢ２０６は、ＮｄレイヤＰＤＳＣＨをさらに送信する（７１４）。ＵＥ２０２は、ＵＥ‐ＲＳから、実効チャネル
【００５４】
【数１２】
0006325113.tif 000015
を測定し、あるいは推定する（７１６）ことができる。その後、ＵＥ２０２は、フルのプリコーディングマトリクスＨＰｃＰｄＤ（ｉ）Ｕを導出して、ＰＤＳＣＨの各データＲＥをデコードする（７１８）ことができる。
【００５５】
図８は、一実施形態における、ＵＥ２０２が２つ以上のＣＳＩ‐ＲＳリソースで構成される場合の、フルディメンジョナルＭＩＭＯの方法８００を例示する概略図である。例えば、この方法は、２つのＣＳＩ‐ＲＳリソースが送信され、ｅＮＢ２０６及びＵＥ２０２が異なるＣＳＩ‐ＲＳリソースについて異なるＰｃマトリクスを使用することを可能にするときに、適用され得る。方法８００が始まり、複数のＮｃポートＣＳＩ‐ＲＳリソースを構成するＲＲＣメッセージが送信される（８０２）。方法８００において、ＣＳＩ‐ＲＳのプリコーディング設計は、
ｙＣＳＩ‐ＲＳ（ｊ）＝ＨＰｃ（ｊ）ｘＣＳＩ‐ＲＳ（ｊ）＋ｎ（ｊ）      式（７）
として表されることができる。これにおいて、ｘＣＳＩ‐ＲＳ（ｊ）は、ｊ番目のＣＳＩ‐ＲＳリソースのＮｃ×１ベクトルであり、Ｐｃ（ｊ）は、ｊ番目のＣＳＩ‐ＲＳリソースに適用されるアンテナポート仮想化マトリクスである。あるいは、ＵＥ２０２が１つのＣＳＩ‐ＲＳリソースを用いて構成される場合、ｅＮＢ２０６は、同じＣＳＩ‐ＲＳについての異なるプライマリリソースブロック（ＰＲＢ）ペア又はＰＲＢバンドリングに対して、異なるＰｃを使用することができる。このことは、インデックスｊがＰＲＢインデックス又はＰＲＢバンドルインデックスとして解釈されるところの式（７）によって表されることができる。
【００５６】
ｅＮＢ２０６は、構成されたリソース上でＣＳＩ‐ＲＳを送信する（８０４）。ＵＥ２０２は、実効チャネルを測定し（８０６）、受信されたＣＳＩ‐ＲＳに基づいてＣＳＩを算出する（８０８）ことができる。ＣＳＩを導出するとき、ＵＥ２０２は、ｊ番目のＮｃポートＣＳＩ‐ＲＳリソースから実効チャネル
【００５７】
【数１３】
0006325113.tif 000016
を推定し、データシンボルの半分について、同等のチャネル
【００５８】
【数１４】
0006325113.tif 000017
から各ＲＥのチャネル容量を導出することができる。データＲＥを分割するための１つのあり得る方法は、周波数第一のシンボル対ＲＥマッピング順序（frequency  first  symbol  to  RE  mapping  order）における、奇数又は偶数データＲＥインデックスによるものである。ＵＥは、ＣＱＩ、ＰＭＩ、及びＲＩを含むＣＳＩをｅＮＢ２０６に送信する（８１０）。ｅＮＢ２０６は、ＮｃポートＵＥ‐ＲＳ及びＮｄポートＰＤＳＣＨをＵＥ２０２に送信する（８１２）。
【００５９】
ＰＤＳＣＨをデコードするとき、ＵＥ‐ＲＳは、
ｙＲＳ＝ＨＰｃ（ｊ）ＰｄｘＲＳ＋ｎ      式（８）
を用いてプリコードされていてもよい。
【００６０】
異なるＰｃ（ｊ）が、異なるＰＲＢに適用されることができる。ＵＥ２０２は、ＵＥ‐ＲＳから実効チャネルＨＰｃ（ｊ）Ｐｄを推定し、あるいは測定し（８１６）、ＰＤＳＣＨ  ＲＥをデコードする（８１８）ことができる。データＲＥは、
ｙ＝ＨＰｃ（ｊ）ＰｄＤ（ｉ）Ｕｘ＋ｎ      式（９）
を用いてプリコードされてもよい。
【００６１】
図９は、モバイル装置、例えば、ユーザ機器（ＵＥ）、移動局（ＭＳ）、モバイルワイヤレス装置、モバイル通信装置、タブレット、ハンドセット、又は別のタイプのワイヤレス通信装置などの、一説明例である。モバイル装置は、１つ以上のアンテナを含むことができ、該アンテナは、伝送局、例えば、基地局（ＢＳ）、ｅＮＢ、ベースバンドユニット（ＢＢＵ）、リモート無線ヘッド（ＲＲＨ）、リモート無線機器（ＲＲＥ）、中継局（ＲＳ）、無線機器（ＲＥ）、又は別のタイプのワイヤレスワイドエリアネットワーク（ＷＷＡＮ）アクセスポイントなどと、通信するように構成される。モバイル装置は、３ＧＰＰ  ＬＴＥ、ＷｉＭＡＸ、ハイスピードパケットアクセス（ＨＳＰＡ）、Ｂｌｕｅｔｏｏｔｈ（登録商標）、及びＷｉＦｉを含む少なくとも１つのワイヤレス通信標準を用いて通信するように構成されることができる。モバイル装置は、各ワイヤレス通信標準について別個のアンテナを、又は複数のワイヤレス通信標準について共有アンテナを用いて、通信することができる。モバイル装置は、ワイヤレスローカルエリアネットワーク（ＷＬＡＮ）、ワイヤレスパーソナルエリアネットワーク（ＷＰＡＮ）、及び／又はＷＷＡＮにおいて通信することができる。
【００６２】
図９は、モバイル装置からのオーディオ入力及び出力に使用されることが可能なマイクロフォン及び１つ以上のスピーカーの例をさらに提供する。ディスプレイ画面は、液晶ディスプレイ（ＬＣＤ）画面、又は他のタイプのディスプレイ画面、例えば、有機発光ダイオード（ＯＬＥＤ）ディスプレイなどであり得る。ディスプレイ画面は、タッチスクリーンとして構成されてもよい。タッチスクリーンは、容量性、抵抗性、又は別のタイプのタッチスクリーンテクノロジーを使用してよい。アプリケーションプロセッサ及びグラフィックスプロセッサが内部メモリに結合されて、処理及び表示能力を提供することができる。不揮発メモリポートがさらに使用されて、データ入力／出力オプションをユーザに提供することができる。不揮発メモリポートはさらに、モバイル装置のメモリ能力を拡大することに使用されてもよい。キーボードがモバイル装置と統合され、あるいはモバイル装置にワイヤレスに接続されて、さらなるユーザ入力を提供してもよい。仮想キーボードがタッチスクリーンを用いてさらに提供されてもよい。
【００６３】
下記の例がさらなる実施形態に関連する。
【００６４】
例１は、ｅＮＢからＣＳＩ‐ＲＳを受信し、ＣＳＩ‐ＲＳに基づいてチャネル状態情報を決定し、チャネル状態情報をｅＮＢに送信するように構成されたＵＥである。チャネル状態情報は、第１のプリコーディングマトリクスに対応するプリコーディングマトリクス指標を含む。ＵＥは、ＵＥ‐ＲＳ及びＰＤＳＣＨ信号を受信するように構成され、ＵＥ‐ＲＳは、第２のプリコーディングマトリクスでプリコードされる。ＵＥは、ＵＥ‐ＲＳに基づいて第２のプリコーディングマトリクスを含むＵＥ‐ＲＳ実効チャネルを推定し、第１のプリコーディングマトリクス及びＵＥ‐ＲＳ実効チャネルに基づいてＰＤＳＣＨ信号からデータをデコードするように構成される。
【００６５】
例２において、例１の第１のプリコーディングマトリクスは、閉ループビームフォーミング（Ｐｄ）に使用されるマトリクスを含み、第２のプリコーディングマトリクスは、開ループビームフォーミング（Ｐｃ）に使用されるマトリクスを含む。Ｐｃは、伝送アンテナの数に対応する第１の次元と、アンテナポートの数に対応する第２の次元とを含む。Ｐｄは、アンテナポートの数に対応する第１の次元と、レイヤの数に対応する第２の次元とを含む。
【００６６】
例３において、例１〜２のいずれかにおけるＰＤＳＣＨからデータをデコードすることは、チャネルマトリクスＨ、各リソースエレメントの巡回遅延ダイバーシティマトリクスＤ（ｉ）、及び正方マトリクスＵのうち１つ以上を含む複数のさらなるマトリクスにさらに基づいてデコードすることを含む。
【００６７】
例４において、例１〜３のいずれかにおけるＰＤＳＣＨからデータをデコードすることは、ＨＰｃＰｄ、ＨＰｃＤ（ｉ）ＵＰｄ、及びＨＰｃＰｄＤ（ｉ）Ｕのうち１つ以上の仮定された実効チャネルに基づいてデータ通信をデコードすることを含む。
【００６８】
例５において、例１〜４のいずれかにおける実効チャネルを推定することは、ＨＰｃの値を推定することを含む。
【００６９】
例６において、例１〜５のいずれかにおけるＵＥ‐ＲＳは、第２のプリコーディングマトリクスでさらにプリコードされ、実効チャネルを推定することは、ＨＰｃＰｄの値を推定することを含む。
【００７０】
例７において、例１〜６のいずれかにおけるＣＳＩ‐ＲＳは第１のＣＳＩ‐ＲＳを含み、ＵＥ‐ＲＳは第１のＵＥ‐ＲＳを含み、ＰＤＳＣＨ信号は第１のＰＤＳＣＨ信号を含み、第１のプリコーディングマトリクスは、第１のＵＥ‐ＲＳに対応する第１のプリコーディングマトリクスを含む。ＵＥはさらに、１つ以上の第２のＣＳＩ‐ＲＳに基づいて第１のチャネル状態情報を決定し、第２のチャネル状態情報をｅＮＢに送信するように構成される。第２のチャネル状態情報は、１つ以上のＣＳＩ‐ＲＳに対応する１つ以上の第２のプリコーディングマトリクスに対応する１つ以上の第２のプリコーディングマトリクス指標を含む。ＵＥはさらに、１つ以上の第２のＵＥ‐ＲＳ及び１つ以上の第２のＰＤＳＣＨ信号を受信し、１つ以上の第２のＵＥ‐ＲＳについての１つ以上の第２のＵＥ‐ＲＳ実効チャネルを測定するように構成される。ＵＥはさらに、１つ以上の第２のＵＥ‐ＲＳ実効チャネル及び１つ以上の第２のプリコーディングマトリクスに基づいて１つ以上の第２のＰＤＳＣＨ信号からデータをデコードするように構成される。
【００７１】
例８において、例１〜７のいずれかにおけるＵＥはさらに、ｅＮＢから受信されるＣＳＩ‐ＲＳに基づいてＵＥとｅＮＢとの間におけるＣＳＩ‐ＲＳ実効チャネルを測定するように構成され、ＣＳＩ‐ＲＳは、第２のプリコーディングマトリクスでプリコードされたＣＳＩ‐ＲＳを含む。
【００７２】
例９は、通信コンポーネント、開ループビームフォーミングコンポーネント、閉ループビームフォーミングコンポーネント、及びデコーディングコンポーネントを含むモバイル通信装置である。通信コンポーネントは、基地局から参照信号を受信するように構成される。開ループビームフォーミングコンポーネントは、参照信号に基づいて実効チャネルマトリクスを決定するように構成される。閉ループビームフォーミングコンポーネントは、閉ループビームフォーミングを用いて閉ループプリコーディングマトリクスに対応するプリコーディングマトリクスインデックスを決定するように構成される。デコーディングコンポーネントは、実効チャネルマトリクス及び閉ループプリコーディングマトリクスに基づいて基地局からのデータ通信をデコードするように構成される。
【００７３】
例１０において、例９の実効チャネルを決定することは、ＨＰｃの値を決定することを含み、Ｈはチャネルマトリクスを含み、Ｐｃは開ループプリコーディングマトリクスを含む。
【００７４】
例１１において、例９〜１０のいずれかにおける実効チャネルマトリクスは、閉ループプリコーディングマトリクスに基づき、実効チャネルを決定することは、ＨＰｃＰｄの値を決定することを含む。Ｈはチャネルマトリクスを含み、Ｐｃは開ループプリコーディングマトリクスを含み、Ｐｄは閉ループプリコーディングマトリクスを含む。
【００７５】
例１２において、例９〜１１のいずれかにおけるデータ通信をデコードすることは、第１のマトリクスＤ（ｉ）及び第２のマトリクスＵを含む複数の事前構成されたマトリクスにさらに基づいてデコードすることを含み、第１のマトリクスは、各リソースエレメントｉの巡回遅延ダイバーシティマトリクスを含む。
【００７６】
例１３において、例１２のＤ（ｉ）及びＵは、通信標準において事前定義されたマトリクスを含む。
【００７７】
例１４において、例１２〜１３のいずれかにおけるＤ（ｉ）及びＵは、データ通信のアンテナポートの数に対応する次元を有する正方マトリクスを含む。
【００７８】
例１５において、例１２〜１３のいずれかにおけるＤ（ｉ）及びＵは、データ通信のレイヤの数に対応する次元を有する正方マトリクスを含む。
【００７９】
例１６は、参照信号コンポーネント、チャネル状態コンポーネント、プリコーディングコンポーネント、及びデータコンポーネントを含むｅＮＢである。参照信号コンポーネントは、ＣＳＩ‐ＲＳをＵＥに伝送するように構成される。ＣＳＩ‐ＲＳは、開ループＭＩＭＯのためのプリコーディング値の第１のセットでエンコードされる。チャネル状態コンポーネントは、ＣＳＩ‐ＲＳをＵＥに伝送することに応答して、ＵＥからプリコーディングインデックスを含むチャネル状態情報を受信するように構成される。プリコーディングコンポーネントは、プリコーディングインデックスに基づいて閉ループＭＩＭＯのためのプリコーディング値の第２のセットを決定するように構成される。プリコーディングインデックスは、事前定義されたコードブックの中のプリコーディング値の第２のセットに対応する。データコンポーネントは、エンコーディング値の第１のセット及びエンコーディング値の第２のセットでエンコードされたデータを伝送するように構成される。
【００８０】
例１７において、例１６の参照信号コンポーネントは、伝送アンテナの数より少ない数のポートにおいてＣＳＩ‐ＲＳを伝送するように構成される。ＣＳＩ‐ＲＳのポートの数は、データのポートの数に対応する。
【００８１】
例１８において、例１６〜１７のいずれかにおけるエンコーディング値の第１のセット及びエンコーディング値の第２のセットでエンコードされたデータを伝送することは、エンコーディング値についての１つ以上の第３のセットでエンコードされたデータを伝送することをさらに含む。
【００８２】
例１９において、例１８のエンコーディング値の第３のセットは、巡回遅延ダイバーシティ値のセットを含む。
【００８３】
例２０において、例１６〜１９のいずれかにおけるプリコーディングコンポーネントは、プリコーディング値の第１のセットとプリコーディング値の第２のセットとのうち１つ以上でエンコードされるＵＥ固有参照信号を伝送するようにさらに構成される。
【００８４】
例２１は、ｅＮＢからＣＳＩ‐ＲＳを受信するステップと、ＣＳＩ‐ＲＳに基づいてチャネル状態情報を決定するステップと、チャネル状態情報をｅＮＢに送信するステップとを含む方法である。チャネル状態情報は、第１のプリコーディングマトリクスに対応するプリコーディングマトリクス指標を含む。上記方法は、ＵＥ‐ＲＳ及びＰＤＳＣＨ信号を受信するステップを含み、ＵＥ‐ＲＳは、第２のプリコーディングマトリクスでプリコードされる。上記方法は、ＵＥ‐ＲＳに基づいて第２のプリコーディングマトリクスを含むＵＥ‐ＥＳ実効チャネルを推定するステップと、第１のプリコーディングマトリクス及びＵＥ‐ＲＳ実効チャネルに基づいてＰＤＳＣＨ信号からデータをデコードするステップとを含む。
【００８５】
例２２において、例２１の第１のプリコーディングマトリクスは、閉ループビームフォーミング（Ｐｄ）に使用されるマトリクスを含み、第２のプリコーディングマトリクスは、開ループビームフォーミング（Ｐｃ）に使用されるマトリクスを含む。Ｐｃは、伝送アンテナの数に対応する第１の次元と、アンテナポートの数に対応する第２の次元とを含む。Ｐｄは、アンテナポートの数に対応する第１の次元と、レイヤの数に対応する第２の次元とを含む。
【００８６】
例２３において、例２１〜２２のいずれかにおけるＰＤＳＣＨからデータをデコードするステップは、チャネルマトリクスＨ、各リソースエレメントの巡回遅延ダイバーシティマトリクスＤ（ｉ）、及び正方マトリクスＵのうち１つ以上を含む複数のさらなるマトリクスにさらに基づいてデコードすることを含む。
【００８７】
例２４において、例２１〜２３のいずれかにおけるＰＤＳＣＨからデータをデコードするステップは、ＨＰｃＰｄ、ＨＰｃＤ（ｉ）ＵＰｄ、及びＨＰｃＰｄＤ（ｉ）Ｕのうち１つ以上の仮定された実効チャネルに基づいてデータ通信をデコードすることを含む。
【００８８】
例２５において、例２１〜２４のいずれかにおける実効チャネルを推定するステップは、ＨＰｃの値を推定することを含む。
【００８９】
例２６において、例２１〜２５のいずれかにおけるＵＥ‐ＲＳは、第２のプリコーディングマトリクスでさらにプリコードされ、実効チャネルを推定するステップは、ＨＰｃＰｄの値を推定することを含む。
【００９０】
例２７において、例２１〜２６のいずれかにおけるＣＳＩ‐ＲＳは第１のＣＳＩ‐ＲＳを含み、ＵＥ‐ＲＳは第１のＵＥ‐ＲＳを含み、ＰＤＳＣＨ信号は第１のＰＤＳＣＨ信号を含み、第１のプリコーディングマトリクスは、第１のＵＥ‐ＲＳに対応する第１のプリコーディングマトリクスを含む。上記方法はさらに、１つ以上の第２のＣＳＩ‐ＲＳに基づいて第１のチャネル状態情報を決定するステップと、第２のチャネル状態情報をｅＮＢに送信するステップとを含む。第２のチャネル状態情報は、１つ以上のＣＳＩ‐ＲＳに対応する１つ以上の第２のプリコーディングマトリクスに対応する１つ以上の第２のプリコーディングマトリクス指標を含む。上記方法はさらに、１つ以上の第２のＵＥ‐ＲＳ及び１つ以上の第２のＰＤＳＣＨ信号を受信するステップと、１つ以上の第２のＵＥ‐ＲＳについての１つ以上の第２のＵＥ‐ＲＳ実効チャネルを測定するステップとを含む。上記方法はさらに、１つ以上の第２のＵＥ‐ＲＳ実効チャネル及び１つ以上の第２のプリコーディングマトリクスに基づいて１つ以上の第２のＰＤＳＣＨ信号からデータをデコードするステップを含む。
【００９１】
例２８において、例２１〜２７のいずれかにおける上記方法はさらに、ｅＮＢから受信されるＣＳＩ‐ＲＳに基づいてＵＥとｅＮＢとの間におけるＣＳＩ‐ＲＳ実効チャネルを測定するステップを含み、ＣＳＩ‐ＲＳは、第２のプリコーディングマトリクスでプリコードされたＣＳＩ‐ＲＳを含む。
【００９２】
例２９は、基地局から参照信号を受信するステップを含む方法である。上記方法は、参照信号に基づいて実効チャネルマトリクスを決定するステップを含む。上記方法は、閉ループビームフォーミングを用いて閉ループプリコーディングマトリクスに対応するプリコーディングマトリクスインデックスを決定するステップを含む。上記方法は、実効チャネルマトリクス及び閉ループプリコーディングマトリクスに基づいて基地局からのデータ通信をデコードするステップを含む。
【００９３】
例３０において、例２９の実効チャネルを決定するステップは、ＨＰｃの値を決定することを含み、Ｈはチャネルマトリクスを含み、Ｐｃは開ループプリコーディングマトリクスを含む。
【００９４】
例３１において、例２９〜３０のいずれかにおける実効チャネルマトリクスは、閉ループプリコーディングマトリクスに基づき、実効チャネルを決定するステップは、ＨＰｃＰｄの値を決定することを含む。Ｈはチャネルマトリクスを含み、Ｐｃは開ループプリコーディングマトリクスを含み、Ｐｄは閉ループプリコーディングマトリクスを含む。
【００９５】
例３２において、例２９〜３１のいずれかにおけるデータ通信をデコードするステップは、第１のマトリクスＤ（ｉ）及び第２のマトリクスＵを含む複数の事前構成されたマトリクスにさらに基づいてデコードすることを含み、第１のマトリクスは、各リソースエレメントｉの巡回遅延ダイバーシティマトリクスを含む。
【００９６】
例３３において、例３２のＤ（ｉ）及びＵは、通信標準において事前定義されたマトリクスを含む。
【００９７】
例３４において、例３２〜３３のいずれかにおけるＤ（ｉ）及びＵは、データ通信のアンテナポートの数に対応する次元を有する正方マトリクスを含む。
【００９８】
例３５において、例３２〜３３のいずれかにおけるＤ（ｉ）及びＵは、データ通信のレイヤの数に対応する次元を有する正方マトリクスを含む。
【００９９】
例３６は、ＣＳＩ‐ＲＳをＵＥに伝送するステップを含むワイヤレス通信の方法である。ＣＳＩ‐ＲＳは、開ループＭＩＭＯのためのプリコーディング値の第１のセットでエンコードされる。上記方法は、ＣＳＩ‐ＲＳをＵＥに伝送するステップに応答して、ＵＥからプリコーディングインデックスを含むチャネル状態情報を受信するステップを含む。上記方法は、プリコーディングインデックスに基づいて閉ループＭＩＭＯのためのプリコーディング値の第２のセットを決定するステップを含む。プリコーディングインデックスは、事前定義されたコードブックの中のプリコーディング値の第２のセットに対応する。上記方法は、エンコーディング値の第１のセット及びエンコーディング値の第２のセットでエンコードされたデータを伝送するステップを含む。
【０１００】
例３７において、例３６のＣＳＩ‐ＲＳを伝送するステップは、伝送アンテナの数より少ない数のポートにおいてＣＳＩ‐ＲＳを伝送することを含む。ＣＳＩ‐ＲＳのポートの数は、データのポートの数に対応する。
【０１０１】
例３８において、例３６〜３７のいずれかにおけるエンコーディング値の第１のセット及びエンコーディング値の第２のセットでエンコードされたデータを伝送するステップは、エンコーディング値についての１つ以上の第３のセットでエンコードされたデータを伝送することをさらに含む。
【０１０２】
例３９において、例３８のエンコーディング値の第３のセットは、巡回遅延ダイバーシティ値のセットを含む。
【０１０３】
例４０において、例３６〜３９のいずれかにおける上記方法は、プリコーディング値の第１のセットとプリコーディング値の第２のセットとのうち１つ以上でエンコードされるＵＥ固有参照信号を伝送するステップをさらに含む。
【０１０４】
様々な手法、又は特定の態様若しくはその部分が、有形媒体、例えば、フロッピーディスケット、ＣＤ‐ＲＯＭ、ハードドライブ、非一時的コンピュータ可読記憶媒体、又は任意の他のマシン可読記憶媒体などにおいて具現化されるプログラムコード（すなわち、命令）の形態をとることができ、これにおいて、プログラムコードがコンピュータなどのマシンにロードされ、マシンにより実行されるとき、マシンは様々な手法を実施する装置になる。プログラム可能コンピュータ上でのプログラムコード実行の場合、コンピューティング装置は、プロセッサ、プロセッサにより読取可能な記憶媒体（揮発性及び不揮発性のメモリ及び／又は記憶素子を含む）、少なくとも１つの入力装置、及び少なくとも１つの出力装置を含み得る。揮発性及び不揮発性のメモリ及び／又は記憶素子は、ＲＡＭ、ＥＰＲＯＭ、フラッシュドライブ、光学ドライブ、磁気ハードドライブ、又は電子データを記憶する別の媒体であり得る。ｅＮＢ（又は、他の基地局）及びＵＥ（又は、他の移動局）は、送受信機コンポーネント、カウンタコンポーネント、処理コンポーネント、及び／又はクロックコンポーネント若しくはタイマコンポーネントをさらに含み得る。本明細書に説明された様々な手法を実施し又は利用し得る１つ以上のプログラムが、アプリケーションプログラミングインターフェース（ＡＰＩ）、再使用可能コントロール、及び同様のものを使用してもよい。こうしたプログラムは、高水準手続き型の又はオブジェクト指向のプログラミング言語において実施されて、コンピュータシステムとやりとりしてもよい。しかしながら、プログラムは、所望される場合、アセンブリ又はマシン言語において実施されてもよい。いずれの場合も、言語はコンパイルされ又は解釈される言語であり、ハードウェア実装と組み合わせられることが可能である。
【０１０５】
本明細書に説明される機能ユニットの多くが、１つ以上のコンポーネントとして実施され得ることが理解されるべきであり、これは、その実施独立性をより詳しく強調するために使用される用語である。例えば、コンポーネントは、カスタム超大規模集積（ＶＬＳＩ）回路若しくはゲートアレイ、ロジックチップなどの既製半導体、トランジスタ、又は他のディスクリートコンポーネントを含むハードウェア回路として実施され得る。コンポーネントはさらに、フィールドプログラマブルゲートアレイ、プログラマブルアレイロジック、プログラマブルロジック装置、又は同様のものなどのプログラマブルハードウェア装置において実施されてもよい。
【０１０６】
コンポーネントはさらに、様々なタイプのプロセッサによる実行のためにソフトウェアにおいて実施されてもよい。実行可能コードの識別されるコンポーネントには、例えば、コンピュータ命令の１つ以上の物理又は論理ブロックを含みことができ、該命令は、例えば、オブジェクト、プロシージャ、又はファンクションとして編成され得る。これにかかわらず、識別されるコンポーネントの実行可能ファイルは、物理的に一緒に位置する必要はなく、しかし、論理的に一緒に結び付けられるときにコンポーネントを構成し、コンポーネントの宣言された目的を達成する、異なる場所に記憶された異種の命令を含むことができる。
【０１０７】
実際、実行可能コードのコンポーネントは、単一の命令、又は多くの命令であることが可能であり、異なるプログラム間において、いくつかのメモリ装置にわたって、いくつかの異なるコードセグメントにわたって分散されることさえ可能である。同様に、動作データが、本明細書においてコンポーネント内において識別され、例示されることがあり、任意の適切な形式において具現化され、任意の適切なタイプのデータ構造内で編成されることがある。動作データは、単一のデータセットとして収集されてもよく、あるいは、異なる記憶装置にわたることを含め異なる場所にわたって分散されてもよく、少なくとも部分的に、システム又はネットワーク上に単に電子信号として存在してもよい。コンポーネントは、所望される機能を実行するように動作可能なエージェントを含め、受動的又は能動的であり得る。
【０１０８】
本明細書の全体を通して「一例」に対する参照は、その例と関連して説明される特定の特徴、構造、又は特性が本開示の少なくとも１つの実施形態に含まれることを意味する。ゆえに、本明細書の全体を通した様々な箇所におけるフレーズ「一例において」の出現は、必ずしもすべて同じ実施形態を参照するものではない。
【０１０９】
本明細書において使用されるとき、複数のアイテム、構造要素、組成要素及び／又は材料は、簡便さのために共通のリストにおいて提示されることがある。しかしながら、こうしたリストは、リストの各メンバが別個及び一意のメンバとして個々に識別されるかのように見なされるべきである。ゆえに、こうしたリストの個々のメンバは、反対の指し示しなしの共通グループにおけるその提示に単に基づいて、同じリストの任意の他のメンバについての事実上の同等物とみなされるべきではない。さらに、本開示についての様々な実施形態及び例が、その様々なコンポーネントに関する代替物と共に本明細書において参照されることがある。こうした実施形態、例、及び代替物は、互いの事実上の同等物と見なされるべきでなく、しかし、本開示の別個の及び自律的表現としてみなされるべきであることが理解される。
【０１１０】
前述は、明確さを目的としていくつかの詳細において説明されたが、その原理から逸脱することなく、特定の変更及び修正がなされ得ることが明らかであろう。本明細書に説明された処理及び装置の双方を実施する多くの代替的方法が存在することが留意されるべきである。したがって、本願実施形態は、限定的ではなく例示的と見なされるべきであり、本開示は、本明細書に与えられる詳細に限定されるべきではなく、別記の請求項の範囲及び均等物内において修正され得る。
【０１１１】
本開示の基礎をなす原理から逸脱することなく、上述された実施形態の詳細に対して多くの変更がなされ得ることを、当業者は十分理解するであろう。したがって、本開示の範囲は、別記の請求項によってのみ決定されるべきである。
【図１】
0006325113.tif 000018
【図２】
0006325113.tif 000019
【図３】
0006325113.tif 000020
【図４】
0006325113.tif 000021
【図５】
0006325113.tif 000022
【図６】
0006325113.tif 000023
【図７】
0006325113.tif 000024
【図８】
0006325113.tif 000025
【図９】
0006325113.tif 000026